(57)【要約】【課題】  煩雑な操作を必要とすることなく、容易に単語等のコンテンツ構成要素単位で出力制限をかけられるようにする。【解決手段】  出力を制限すべきコンテンツ構成要素を特定するための出力制限情報を記憶する制限情報記憶部１０７と、電子コンテンツを使用するユーザに関する情報であるユーザ情報を記憶するユーザ情報記憶部１０８と、前記出力制限情報と前記ユーザ情報とに基づいて、電子コンテンツに含まれるコンテンツ構成要素のうちから、出力を制限すべきコンテンツ構成要素を決定する出力制限決定部１１３とを備えている。【選択図】  図１
2006235880.tif 000002
【特許請求の範囲】
【請求項１】
出力を制限すべきコンテンツ構成要素を特定するための出力制限情報を記憶する制限情報記憶手段と、
電子コンテンツを使用するユーザに関する情報であるユーザ情報を記憶するユーザ情報記憶手段と、
前記出力制限情報と前記ユーザ情報とに基づいて、電子コンテンツに含まれるコンテンツ構成要素のうちから、出力を制限すべきコンテンツ構成要素を決定する出力制限手段とを備えていることを特徴とする情報処理装置。
【請求項２】
前記電子コンテンツを構成する複数のコンテンツ構成要素に対する前記出力制限手段により決定された出力制限の状態に基づいて、前記電子コンテンツの出力方法を決定する出力方法決定手段と、
前記出力方法決定手段により決定された前記電子コンテンツの出力方法に基づいて、前記電子コンテンツを出力する出力処理手段とを備えていることを特徴とする請求項１に記載の情報処理装置。
【請求項３】
前記コンテンツ構成要素は、単語、静止画像、動画像、及び音声のうちの少なくとも一つであることを特徴とする請求項１または２に記載の情報処理装置。
【請求項４】
前記制限情報記憶手段は前記出力制限情報として、さらにコンテンツ構成要素間の概念上の距離を示した概念辞書を備えており、
前記概念辞書上において、前記電子コンテンツに含まれる出力が制限されるべきコンテンツ構成要素に対して、所定の概念上の距離内にある関連コンテンツ構成要素を検出する構成要素検出手段を備え、
前記出力制限手段はさらに前記構成要素検出手段により検出された前記関連コンテンツ構成要素の出力を制限することを特徴とする請求項１または２に記載の情報処理装置。
【請求項５】
前記コンテンツ構成要素が静止画像、動画像、もしくは音声の何れかであり、さらに当該コンテンツ構成要素にはメタ情報が付与されている場合、
前記出力制限手段は、前記メタ情報に前記出力制限情報が含まれる当該コンテンツ構成要素に対して、出力を制限することを特徴とする請求項１または２に記載の情報処理装置。
【請求項６】
前記制限情報記憶手段は前記出力制限情報として、さらにコンテンツ構成要素間の概念上の距離を示した概念辞書を備えており、
前記コンテンツ構成要素が静止画像、動画像、もしくは音声の何れかであり、さらに当該コンテンツ構成要素にはメタ情報が付与されており、
前記概念辞書上において、前記電子コンテンツに含まれる出力が制限されるべきコンテンツ構成要素に対して、所定の概念上の距離内にある関連コンテンツ構成要素を検出する構成要素検出手段を備え、
前記出力制限手段はさらに前記メタ情報に前記構成要素検出手段により検出された前記関連コンテンツ構成要素が含まれるコンテンツ構成要素の出力を制限することを特徴とする請求項１または２に記載の情報処理装置。
【請求項７】
前記出力方法決定手段は、電子コンテンツを構成する複数のブロックのうち、所定のブロック内に占める出力を制限された前記コンテンツ構成要素の数、もしくは割合が所定の閾値以上である場合に、所定のブロック全体の出力を制限することを特徴とする請求項１または２に記載の情報処理装置。
【請求項８】
前記所定のブロックは、一文、一段落、及び一場面のうちの少なくとも一つであることを特徴とする請求項７に記載の情報処理装置。
【請求項９】
前記出力方法決定手段は、出力を制限された前記コンテンツ構成要素、もしくは出力を制限された前記ブロックをブランクで出力することを特徴とする請求項２または７に記載の情報処理装置。
【請求項１０】
前記出力方法決定手段は、出力を制限された前記コンテンツ構成要素、もしくは出力を制限された前記ブロックを任意の色で塗りつぶして出力することを特徴とする請求項２または７に記載の情報処理装置。
【請求項１１】
前記出力方法決定手段は、出力を制限された前記コンテンツ構成要素、もしくは出力を制限された前記ブロックを所定のオブジェクトに置き換えて出力することを特徴とする請求項２または７に記載の情報処理装置。
【請求項１２】
前記出力方法決定手段は、出力を制限された前記コンテンツ構成要素の色、もしくは出力を制限された前記ブロックの色を背景色と同じにして出力することを特徴とする請求項２または７に記載の情報処理装置。
【請求項１３】
出力を制限された前記コンテンツ構成要素、もしくは出力を制限された前記ブロックに音声が含まれる場合、前記出力方法決定手段は、当該音声を出力しないようにすることを特徴とする請求項２または７に記載の情報処理装置。
【請求項１４】
入力されたユーザ識別情報によりユーザを特定するユーザ特定手段を備え、
前記出力制限手段は、ユーザ情報として、ユーザ情報記憶手段に記憶されているユーザ情報のうち、ユーザ特定手段にて特定されたユーザのユーザ情報を使用することを特徴とする請求項１または２に記載の情報処理装置。
【請求項１５】
前記ユーザ情報はユーザの年齢を示す情報を含んでおり、前記出力制限情報は、ユーザの年齢に応じた、出力を制限すべきコンテンツ構成要素に関する情報を含んでいることを特徴とする請求項１または２に記載の情報処理装置。
【請求項１６】
出力を制限すべきコンテンツ構成要素を特定するための出力制限情報を記憶する制限情報記憶ステップと、
電子コンテンツを使用するユーザに関する情報であるユーザ情報を記憶するユーザ情報記憶ステップと、
前記出力制限情報と前記ユーザ情報とに基づいて、電子コンテンツに含まれるコンテンツ構成要素のうちから、出力を制限すべきコンテンツ構成要素を決定する出力制限ステップとを備えていることを特徴とする情報処理方法。
【請求項１７】
請求項１から１５の何れか１項に記載の情報処理装置を動作させるためのプログラムであって、コンピュータを上記の各手段として機能させるための情報処理プログラム。
【請求項１８】
請求項１７に記載の情報処理プログラムを記録したコンピュータ読み取り可能な記録媒体。
【発明の詳細な説明】
【技術分野】
【０００１】
本発明は、電子コンテンツ内においてユーザに鑑賞させたくない部分を鑑賞させないように制限する情報処理装置、情報処理方法、情報処理プログラム及びこれを記録したコンピュータ読み取り可能な記録媒体に関する。
【背景技術】
【０００２】
現在、電子書籍の普及により、数多くの電子書籍をＰＤＡなどの電子書籍端末で鑑賞することが可能である。これら電子書籍端末の中には、ユーザに鑑賞させたくない箇所を設定することができるものが存在する。
【０００３】
例えば、特許文献１では、ユーザが書籍の内容や問題集等における課題に対する解答状況に応じて、ページの表示を容易に制限することができる電子書籍装置が開示されている。この電子書籍装置では、各ページの内容から判断してページの表示を制限したり、表示を制限されたページの制限事項を解消する条件が得られた場合はそのページの表示を可能にしたりすることができる。
【０００４】
また、特許文献２では、重要単語が表示されたエリアを空白表示とすることでユーザから閲覧できないように制限する電子学習機が開示されている。この電子学習機は、重要単語を非表示にしたり、逆に当該重要単語を表示したりすることで、暗記や理解等の学習を段階的に効率よく進めることを目的としている。
【０００５】
また、特許文献３では、テキストの一部をマークに置き換えて表示したり、全てのテキストを表示させたりすることができる情報処理装置が開示されている。特許文献３で開示されている情報処理装置は、ＸＭＬなどのマークアップ言語で記述されたコンテンツデータ中において、マーク表示したいテキストの部分をタグで囲み、置き換えるマークを指定したコンテンツデータを利用することで、指定した箇所をマーク表示することができる。さらに、マーク表示する箇所はユーザ自らも指定することができる。
【特許文献１】特開平１１−２３２２９５号公報（平成１１年８月２７日公開）
【特許文献２】特開２００２−４１０１２号公報（平成１４年２月８日公開）
【特許文献３】特開２００３−６７０９９号公報（平成１５年３月７日公開）
【発明の開示】
【発明が解決しようとする課題】
【０００６】
しかしながら、特許文献１で開示されている電子書籍装置では、ページ単位でしか表示制限をかけることができない。このため、ページ内のある一部のみをユーザに見せたくない場合であっても、当該ページ全体に表示制限をかける必要があるため、ユーザにとって好ましくない。
【０００７】
一方、特許文献２で開示されている電子学習機、及び特許文献３で開示されている情報処理装置では、単語単位で空白表示を行ったり、マーク表示したりすることで、単語単位でユーザに対する表示制限をかけることができる。しかしながら、表示制限をかける単語は、予めコンテンツデータ内で指定しておくか、ユーザ自ら手動で指定する必要があり、ユーザにとっては面倒な操作である。
【０００８】
それゆえに、本発明の目的は、煩雑な操作を必要とすることなく、容易に単語などのコンテンツ構成要素単位で出力を制限することができる情報処理装置、情報処理方法、情報処理プログラム、及びこれを記録したコンピュータ読み取り可能な記録媒体を提供することにある。
【課題を解決するための手段】
【０００９】
本発明の情報処理装置は、出力を制限すべきコンテンツ構成要素を特定するための出力制限情報を記憶する制限情報記憶手段と、電子コンテンツを使用するユーザに関する情報であるユーザ情報を記憶するユーザ情報記憶手段と、出力制限情報とユーザ情報とに基づいて、電子コンテンツに含まれるコンテンツ構成要素のうちから、出力を制限すべきコンテンツ構成要素を決定する出力制限手段とを備えている。
【００１０】
本発明の情報処理方法は、出力を制限すべきコンテンツ構成要素を特定するための出力制限情報を記憶する制限情報記憶ステップと、電子コンテンツを使用するユーザに関する情報であるユーザ情報を記憶するユーザ情報記憶ステップと、出力制限情報とユーザ情報とに基づいて、電子コンテンツに含まれるコンテンツ構成要素のうちから、出力を制限すべきコンテンツ構成要素を決定する出力制限ステップとを備えている。
【００１１】
上記の構成によれば、出力制限手段（出力制限ステップ）は、制限情報記憶手段（制限情報記憶ステップ）において記憶されている出力制限情報とユーザ情報記憶手段（ユーザ情報記憶ステップ）において記憶されているユーザ情報とに基づいて、電子コンテンツに含まれる出力が制限されるべきコンテンツ構成要素を決定する。
【００１２】
ここで、出力制限情報には、例えば、電子コンテンツに含まれるコンテンツ構成要素の中で出力が制限されるべきコンテンツ構成要素、例えば単語などを記載したリストなどが含まれる。すなわち、当該リストに記載されたコンテンツ構成要素が電子コンテンツに含まれている場合は、当該コンテンツ構成要素に対して出力を制限することができる。
【００１３】
また、ユーザ情報とは、情報処理装置を使用するユーザに関する情報のことを指す。このユーザ情報には、例えばユーザの名前やユーザ識別番号などユーザを識別することができる情報、及びユーザの学年や生年月日などユーザの年齢を判別することができる情報などが含まれていても構わない。
【００１４】
これにより、制限情報記憶手段（制限情報記憶ステップ）において記憶されている出力制限情報と、ユーザ情報記憶手段（ユーザ情報記憶ステップ）において記憶されているユーザ情報とを使用して、電子コンテンツに含まれる出力が制限されるべきコンテンツ構成要素を決定することができる。
【００１５】
この結果、煩雑な操作を必要とすることなく、単語などのコンテンツ構成要素単位で容易に出力を制限することができる。
【００１６】
上記の情報処理装置は、好ましくは、電子コンテンツを構成する複数のコンテンツ構成要素に対する出力制限手段により決定された出力制限の状態に基づいて、電子コンテンツの出力方法を決定する出力方法決定手段と、出力方法決定手段により決定された電子コンテンツの出力方法に基づいて、電子コンテンツを出力する出力処理手段とを備えている。
【００１７】
上記の構成によれば、出力方法決定手段は、コンテンツ構成要素に対する出力制限の状態、例えば出力を制限されたコンテンツ構成要素の総数に基づいて、電子コンテンツの出力方法を決定し、出力処理手段は決定された出力方法に基づいて、当該電子コンテンツを出力する。
【００１８】
これにより、出力方法決定手段は、出力制限をかけられたコンテンツ構成要素を含めた電子コンテンツ全体を考慮して出力方法を決定することができる。
【００１９】
上記の情報処理装置において、好ましくは、コンテンツ構成要素は、単語、静止画像、動画像、及び音声のうちの少なくとも一つである。
【００２０】
これにより、電子コンテンツに含まれる単語、静止画像、動画像、及び音声のうちの少なくとも一つに対して、出力を制限することができる。この結果、例えばあるユーザの年齢では見るにはふさわしくないような静止画像や動画像に対して出力制限をかけることで、当該ユーザには当該静止画像や動画像を見せなくすることができる。
【００２１】
上記の情報処理装置において、好ましくは、制限情報記憶手段は出力制限情報として、さらにコンテンツ構成要素間の概念上の距離を示した概念辞書を備えており、概念辞書上において、電子コンテンツに含まれる出力が制限されるべきコンテンツ構成要素に対して、所定の概念上の距離内にある関連コンテンツ構成要素を検出する構成要素検出手段を備え、出力制限手段はさらに構成要素検出手段により検出された関連コンテンツ構成要素の出力を制限する。
【００２２】
上記の構成によれば、構成要素検出手段は、出力制限情報として記憶されたコンテンツ構成要素と概念辞書上において概念的に近い関係にある関連コンテンツ構成要素を検出し、出力制限手段は検出された関連コンテンツ構成要素に対しても出力を制限する。
【００２３】
ここで、概念辞書とは、コンテンツ構成要素間の概念上の距離を示しており、コンテンツ構成要素間の意味の関連付けを体系的に記憶したもので、シソーラスや類義語辞書などが相当する。図８には、コンテンツ構成要素が単語である場合のシソーラス構造の概念辞書を示す。この概念辞書は概念上の距離により単語間の意味の関連付けを行っており、概念上の距離が近い単語ほど単語間の意味が近いことを示している。さらに、図８では、単語間の概念的意味の包括関係を示しており、例えば、「海」の下位概念として「釣り」、「海水浴」及び「ダイビング」が位置しており、「海」の上位概念として「旅行」が位置している。
【００２４】
また、概念上の距離とは、二つのコンテンツ構成要素間の概念上の近さを数値で表したものである。概念上の距離として、例えば階層木でコンテンツ構成要素間の関係を記述し、当該階層木上の二つのコンテンツ構成要素間のパスの長さで表すものでも構わないが、必ずしもこれに限定されない。
【００２５】
これにより、出力制限情報として記憶されたコンテンツ構成要素に対してのみ出力を制限するだけでなく、概念上の辞書を使用することで出力制限情報として記憶されたコンテンツ構成要素と概念的に近い関係にある関連コンテンツ構成要素に対しても出力を制限することができる。この結果、例えば出力を制限したいコンテンツ構成要素全てをリストにして出力制限情報として制限情報記憶手段にて記憶させておく必要はなく、最低限出力を制限したいコンテンツ構成要素のみをリストにしておき、このリストを概念辞書と共に制限情報記憶手段にて記憶させておくことで、電子コンテンツに含まれるコンテンツ構成要素に対して出力を制限することができる。
【００２６】
上記の情報処理装置において、好ましくは、コンテンツ構成要素が静止画像、動画像、もしくは音声の何れかであり、さらに当該コンテンツ構成要素にはメタ情報が付与されている場合、出力制限手段はメタ情報に出力制限情報が含まれる当該コンテンツ構成要素に対して、出力を制限する。
【００２７】
上記の構成によれば、出力制限手段はコンテンツ構成要素に付与されたメタ情報を参照して、当該コンテンツ構成要素に対して出力を制限するか否かを決定する。
【００２８】
これにより、コンテンツ構成要素が静止画像、動画像、もしくは音声の何れかであっても、当該コンテンツ構成要素に付与されたメタ情報を使用することで、出力制限手段は当該コンテンツ構成要素に対して出力を制限するか否かを決定することができる。
【００２９】
上記の情報処理装置において、好ましくは、制限情報記憶手段は出力制限情報として、さらにコンテンツ構成要素間の概念上の距離を示した概念辞書を備えており、コンテンツ構成要素が静止画像、動画像、もしくは音声の何れかであり、さらに当該コンテンツ構成要素にはメタ情報が付与されており、概念辞書上において、電子コンテンツに含まれる出力が制限されるべきコンテンツ構成要素に対して、所定の概念上の距離内にある関連コンテンツ構成要素を検出する構成要素検出手段を備え、出力制限手段はさらにメタ情報に構成要素検出手段により検出された関連コンテンツ構成要素が含まれるコンテンツ構成要素の出力を制限する。
【００３０】
上記の構成によれば、構成要素検出手段は、出力制限情報として記憶されたコンテンツ構成要素と概念辞書上において概念的に近い関係にある関連コンテンツ構成要素を検出し、検出された関連コンテンツ構成要素がメタ情報に含まれる場合は、出力制限手段は当該コンテンツ構成要素に対して出力を制限する。
【００３１】
これにより、コンテンツ構成要素が静止画像、動画像、及び音声の少なくとも一つであっても、当該コンテンツ構成要素に付与されたメタ情報を使用し、さらに概念辞書も併せて使用することで、出力制限情報として記憶されたコンテンツ構成要素をメタ情報に含むコンテンツ構成要素に対してのみ出力を制限するだけでなく、概念辞書上において概念的に近い関係にある関連コンテンツ構成要素をメタ情報に含むコンテンツ構成要素に対しても出力を制限することができる。
【００３２】
上記の情報処理装置において、好ましくは、出力方法決定手段は、電子コンテンツを構成する複数のブロックのうち、所定のブロック内に占める出力を制限されたコンテンツ構成要素の数、もしくは割合が所定の閾値以上である場合に、所定のブロック全体の出力を制限する。
【００３３】
上記の情報処理装置において、さらに好ましくは、所定のブロックは、一文、一段落、及び一場面のうちの少なくとも一つである。
【００３４】
これにより、例えば、ある一文内に含まれる出力を制限されたコンテンツ構成要素の数が所定の数以上である場合、当該の文全体の出力を制限することができる。この結果、あるユーザには見るにはふさわしくないようなコンテンツ構成要素が多く含まれるブロック、例えば文全体に対して出力制限をかけることで、当該ユーザには当該ブロック、例えば文全体を見せないようにすることができる。
【００３５】
上記ブロックは、一文だけでなく、一段落、及び一場面などであってもよく、このように所定のブロック単位に対して出力制限をかけることで、ユーザには当該ブロック全体を見せなくすることができる。さらに、所定のブロック内に占める出力を制限されたコンテンツ構成要素の数が所定の数以上である場合ばかりでなく、所定のブロック内に占める出力を制限されたコンテンツ構成要素の割合が所定の割合以上である場合に、当該ブロック全体の出力を制限するものであっても構わない。
【００３６】
上記の情報処理装置において、好ましくは、出力方法決定手段は、出力を制限されたコンテンツ構成要素、もしくは出力を制限されたブロックをブランクで出力する。
【００３７】
上記の情報処理装置において、好ましくは、出力方法決定手段は、出力を制限されたコンテンツ構成要素、もしくは出力を制限されたブロックを任意の色で塗りつぶして出力する。
【００３８】
上記の情報処理装置において、好ましくは、出力方法決定手段は、出力を制限されたコンテンツ構成要素、もしくは出力を制限されたブロックを所定のオブジェクトに置き換えて出力する。
【００３９】
上記の情報処理装置において、好ましくは、出力方法決定手段は、出力を制限されたコンテンツ構成要素の色、もしくは出力を制限されたブロックの色を背景色と同じにして出力する。
【００４０】
これにより、例えば、電子コンテンツを表示装置にて出力する場合、電子コンテンツ内に含まれる出力を制限されたコンテンツ構成要素、もしくはブロックをブランクにて出力したり、任意の色で塗りつぶして出力したり、絵やマークなどの所定のオブジェクトに置き換えて出力したり、背景色と同じにして出力したりすることができる。この結果、出力を制限されたコンテンツ構成要素、もしくはブロックをユーザに見せなくすることができる。
【００４１】
上記の情報処理装置において、好ましくは、出力を制限されたコンテンツ構成要素、もしくは出力を制限されたブロックに音声が含まれる場合、出力方法決定手段は、当該音声を出力しないようにする。
【００４２】
これにより、出力を制限されたコンテンツ構成要素、もしくはブロックに音声が含まれる場合、当該音声を出力しないようにすることができる。この結果、例えば、出力を制限されたコンテンツ構成要素、もしくはブロックに音声が含まれている場合でも、当該音声をユーザに聞かせなくすることができる。
【００４３】
上記の情報処理装置において、好ましくは、入力されたユーザ識別情報によりユーザを特定するユーザ特定手段を備え、出力制限手段は、ユーザ情報として、ユーザ情報記憶手段に記憶されているユーザ情報のうち、ユーザ特定手段にて特定されたユーザのユーザ情報を使用する。
【００４４】
上記の構成によれば、ユーザ特定手段は入力されたユーザ識別情報により、当該情報処理装置を使用するユーザを特定し、出力制限手段は、ユーザ情報として、特定されたユーザのユーザ情報を使用する。
【００４５】
これにより、一つの情報処理装置を複数人で使用する場合であっても、現在使用するユーザを特定し、当該ユーザに関するユーザ情報を使用することで、出力制限手段は、当該ユーザに応じて電子コンテンツに含まれるコンテンツ構成要素に対して出力を制限することができる。
【００４６】
上記の情報処理装置において、好ましくは、ユーザ情報はユーザの年齢を示す情報を含んでおり、出力制限情報は、ユーザの年齢に応じた、出力を制限すべきコンテンツ構成要素に関する情報を含んでいる。
【００４７】
これにより、出力制限情報はユーザの年齢に応じた、出力を制限すべきコンテンツ構成要素に関する情報を含んでいるため、出力制限手段は、情報処理装置を使用するユーザの年齢に応じて、電子コンテンツに含まれるコンテンツ構成要素に対して出力を制限することができる。この結果、例えば、電子コンテンツに青少年にとってはふさわしくないようなコンテンツ構成要素が存在する場合であっても、当該コンテンツ構成要素に対して出力を制限することで、当該コンテンツ構成要素を青少年に見せなくすることができる。
【発明の効果】
【００４８】
以上のように、本発明の情報処理装置は、出力を制限すべきコンテンツ構成要素を特定するための出力制限情報を記憶する制限情報記憶手段と、ユーザ情報を記憶するユーザ情報記憶手段と、出力制限情報とユーザ情報とに基づいて、電子コンテンツに含まれるコンテンツ構成要素のうちから、出力を制限すべきコンテンツ構成要素を決定する出力制限手段とを備えている構成である。
【００４９】
これにより、出力を制限すべきコンテンツ構成要素を記憶した出力制限情報と当該情報処理装置を使用するユーザに関するユーザ情報とに基づいて、当該ユーザに応じて出力を制限すべきコンテンツ構成要素を決定することができる。
【００５０】
さらに、コンテンツ構成要素間の概念上の距離を示した概念辞書を使用することで、出力制限情報として記憶されているコンテンツ構成要素と概念的に近い関連コンテンツ構成要素に対しても出力を制限することができる。
【００５１】
さらに、出力を制限するのはコンテンツ構成要素単位だけには限定されず、一文、一段落、及び一場面といった所定ブロック内に含まれる出力を制限されたコンテンツ構成要素の数、もしくは割合に応じて、当該ブロック全体に出力を制限することができる。
【００５２】
また、当該電子コンテンツを表示装置に出力する場合は、出力を制限されたコンテンツ構成要素、もしくはブロックをブランクにて出力したり、任意の色で塗りつぶして出力したり、絵やマークなどの所定のオブジェクトに置き換えて出力したり、背景色と同じにして出力したりすることができる。この結果、出力を制限されたコンテンツ構成要素、もしくはブロックをユーザに見せなくすることができる。
【発明を実施するための最良の形態】
【００５３】
以下、図面を参照しつつ本発明の一実施の形態について説明する。なお、以下の説明に用いる図面では、同一の機能を有する手段には同一の名称及び同一の符号を付与している。従って、それらについての詳細な説明は繰り返さない。
【００５４】
（機能的構成）
図１には、本実施の形態に係る情報処理装置１００の機能的構成のブロック図を示す。
【００５５】
図１に示すように、情報処理装置１００は、受信部１０１、入力部１０２、入力部１０３、入力部１０４、及びユーザ認識部１０５を備えている。さらに、情報処理装置１００は、コンテンツ蓄積部１０６、制限情報記憶部１０７、ユーザ情報記憶部１０８、コンテンツ構成要素抽出部１０９、ユーザ情報抽出部１１０、制限情報抽出部１１１、構成要素検出部１１２、出力制限決定部１１３、出力方法決定部１１４、及び出力処理部１１５を備えている。
【００５６】
電子コンテンツ１０は、例えば電子小説や電子雑誌などの電子書籍全般を対象とするものであり、当該電子書籍は単語等のテキストデータ、静止画像、動画像、及び音声の少なくとも一つを含んでいるものとする。
【００５７】
受信部１０１は、例えば無線もしくは有線を介して配信される電子コンテンツなどを入力するインタフェース部分であり、電子コンテンツ１０を入力するためのものである。
【００５８】
入力部１０２は、例えば記録媒体を介して入力される電子コンテンツなどを入力するインタフェースであり、記録媒体１１から電子コンテンツを入力するためのものである。
【００５９】
入力部１０３は、例えばユーザからの入力を受けるインタフェース、もしくは外部機器から入力を受けるインタフェースであり、電子コンテンツに含まれる出力を制限すべきコンテンツ構成要素を特定するための情報を出力制限情報１２として入力するためのものである。
【００６０】
本実施の形態において、電子コンテンツに含まれる出力を制限すべきコンテンツ構成要素を特定するための情報（出力制限情報）としては、電子コンテンツに含まれるコンテンツ構成要素の中で出力を制限すべきコンテンツ構成要素、例えば単語などを記載したリスト（以降、一般出力制限リスト、と称する）のことを指す。なお、この情報はリスト形式のものに限定されない。
【００６１】
なお、この一般出力制限リストは、ユーザ別に分けて記憶されていても構わないし、年齢別に分けて記憶されていても構わない。また、電子コンテンツに含まれるコンテンツ構成要素としては、単語、静止画像、動画像、及び音声のうちの少なくとも一つのデータである。図７には、年齢別に分類された一般出力制限リストの一例を示す。図７では、年齢別の一般出力制限リスト５００が「１０歳未満」５０１、「１０歳以上１２歳未満」５０２、「１２歳以上１５歳未満」５０３、「１５歳以上１８歳未満」５０４、及び「１８歳以上２１歳未満」５０５にそれぞれ分類されて記憶されている。例えば、１４歳のユーザには、「Ｗｏｒｄ１」から「Ｗｏｒｄ７」の７つの単語に対して出力を制限することを示している。ただし、一般出力制限リストは必ずしもこれに限定されない。
【００６２】
また、電子コンテンツに含まれる出力を制限すべきコンテンツ構成要素を特定するための情報として、コンテンツ構成要素間の概念上の距離を示した概念辞書を含んでいても構わない。
【００６３】
ここで、概念辞書とは、コンテンツ構成要素間の概念上の距離を示しており、コンテンツ構成要素間の意味の関連付けを体系的に記憶したもので、シソーラスや類義語辞書などが相当する。この概念辞書は概念上の距離によりコンテンツ構成要素間の意味の関連付けを行っており、概念上の距離が近いコンテンツ構成要素ほど概念的に意味が近いことを示している。
【００６４】
なお、概念上の距離とは二つのコンテンツ構成要素間の概念上の近さを数値で表したものである。概念上の距離として、例えば階層木でコンテンツ構成要素間の関係を記述し、当該階層木上の二つのコンテンツ構成要素間のパスの長さで表すものでも構わないが、必ずしもこれに限定されない。
【００６５】
図８には、コンテンツ構成要素が単語である場合のシソーラス構造の概念辞書５２０の一例を示す。ここで、概念上の距離を二つの単語間のパスの長さで表すものとすると、「旅行」と概念上の距離が「１」にある単語は「海」、「山」及び「温泉」であることを示し、「旅行」と概念上の距離が「２」である単語は「釣り」、「海水浴」、「ダイビング」、「登山」及び「ハイキング」であることを示している。
【００６６】
入力部１０４は、例えばユーザから入力を受けるインタフェース、もしくは外部機器から入力を受けるインタフェースを備えており、ユーザ情報１３を入力するためのものである。なお、ユーザ情報１３は情報処理装置１００を使用するユーザに関する情報であり、例えばユーザの名前やユーザ識別番号などユーザを識別することができる情報、及びユーザの学年や生年月日などユーザの年齢を判別することができる情報などが含まれていても構わない。
【００６７】
ユーザ認識部１０５は、ユーザ識別情報１４を入力し、情報処理装置１００を使用するユーザを識別する。なお、ユーザ識別情報１４、及びユーザの識別方法は特に限定しない。例えば、ユーザ識別情報１４としてユーザにユーザの名前もしくはユーザ識別番号の少なくとも一方を入力させること、あるいは選択させることで、ユーザを識別する方法であっても構わない。また、ユーザの指紋や虹彩などの人体情報を予め登録しておき、情報処理装置１００を使用する場合にそれらの情報を入力し、予め登録されていた情報と比較することでユーザを識別する方法であっても構わない。
【００６８】
コンテンツ蓄積部１０６は、受信部１０１もしくは入力部１０２を介して入力された電子コンテンツ１０を蓄積する。
【００６９】
制限情報記憶部１０７は、入力部１０３を介して入力された出力制限情報１２を記憶する。
【００７０】
ユーザ情報記憶部１０８は、入力部１０４を介して入力されたユーザ情報１３を記憶する。なお、ユーザ認識部１０５を介してユーザ識別情報１４が入力された場合は、ユーザ情報記憶部１０８はユーザ認識部１０５において識別されたユーザ毎にユーザ情報１３を記憶する。
【００７１】
コンテンツ構成要素抽出部１０９は、コンテンツ蓄積部１０６において蓄積されている電子コンテンツに含まれるコンテンツ構成要素を抽出する。なお、コンテンツ構成要素抽出部１０９において抽出されるコンテンツ構成要素は、電子コンテンツに含まれる単語等のテキストデータ、静止画像、動画像、及び音声のうちの少なくとも一つである。
【００７２】
ユーザ情報抽出部１１０は、ユーザ情報記憶部１０８において記憶されているユーザ情報を抽出する。
【００７３】
制限情報抽出部１１１は、制限情報記憶部１０７において記憶されている出力制限情報を抽出する。なお、制限情報抽出部１１１で抽出される出力制限情報は、上述のように、電子コンテンツに含まれる出力を制限すべきコンテンツ構成要素を特定するための情報である。出力制限情報には、例えば、一般出力制限リスト及び概念辞書などが含まれる。
【００７４】
構成要素検出部１１２は、制限情報抽出部１１１において抽出された概念辞書上で、あるコンテンツ構成要素から所定の概念上の距離内に含まれる関連コンテンツ構成要素を検出する。なお、検出する関連コンテンツ構成要素は一つとは限らず、所定の概念上の距離内に含まれる関連コンテンツ構成要素が複数存在する場合は複数の関連コンテンツ構成要素が検出されるものであっても構わない。
【００７５】
出力制限決定部１１３は、コンテンツ構成要素抽出部１０９において抽出されたコンテンツ構成要素に対して、制限情報抽出部１１１において抽出された出力制限情報、及びユーザ情報抽出部１１０において抽出されたユーザ情報に基づいて、出力を制限するか否かを決定する。
【００７６】
例えば、出力を制限すべきコンテンツ構成要素、例えば単語などを記載した一般出力制限リストが年齢別に分類されているような出力制限情報が制限情報抽出部１１１において抽出された場合、出力制限決定部１１３は、ユーザ情報抽出部１１０において抽出されたユーザの年齢情報を使用して、出力を制限すべきコンテンツ構成要素（単語）を決定する。
【００７７】
さらに、制限情報抽出部１１１が上述したコンテンツ構成要素間の概念上の距離を示した概念辞書も抽出した場合、出力制限決定部１１３は出力制限情報に記憶されたコンテンツ構成要素と概念上の距離が近い関連コンテンツ構成要素を検出するように構成要素検出部１１２に依頼する。構成要素検出部１１２は、概念辞書上で出力制限情報に記憶されたコンテンツ構成要素から所定の概念上の距離内に含まれる関連コンテンツ構成要素を検出し、出力制限決定部１１３に渡す。出力制限決定部１１３は、構成要素検出部１１２において検出された関連コンテンツ構成要素に対しても出力を制限するように決定する。
【００７８】
出力方法決定部１１４は、出力制限決定部１１３によって出力を制限されたコンテンツ構成要素に基づいて、電子コンテンツの出力方法を決定する。例えば、出力制限決定部１１３において出力を制限されたコンテンツ構成要素のみに対して出力を制限するというものであっても構わない。また、一文、一段落、もしくは一場面といった所定ブロック内に占める出力を制限されたコンテンツ構成要素の数、もしくは割合が所定の閾値以上である場合は、当該ブロック全体に対して出力を制限するというものであっても構わない。
【００７９】
さらに、出力方法決定部１１４は、出力を制限されたコンテンツ構成要素、もしくは出力を制限されたブロックをブランクで出力するのか、任意の色で塗りつぶして出力するのか、背景色と同じにして出力するのか、絵やマークといった所定のオブジェクトに置き換えて出力するのか、もしくは音声を含む場合は音声を鳴らさないように出力するのか等の出力方法の決定も行う。
【００８０】
出力処理部１１５は、出力方法決定部１１４において決定された出力方法に基づいて出力する。出力先が例えば表示装置１５である場合は、出力処理部１１５は出力方法に基づいて表示装置１５に電子コンテンツを出力する。
【００８１】
（情報処理装置１００を実現するコンピュータシステムの構成）
本実施の形態に係る情報処理装置１００は、実質的には、コンピュータハードウェアと、そのコンピュータハードウェアにより実行されるプログラムと、コンピュータハードウェアに格納されるデータとにより実現される。図２に、このコンピュータシステム２００の内部構成を示す。
【００８２】
図２を参照して、このコンピュータシステム２００は、光ディスクドライブ２０１及び磁気ディスクドライブ２０２を有するコンピュータ２２０と、モニタ２０３と、リモートコントローラ（以下、「リモコン」と呼ぶ）２０４とを含む。
【００８３】
コンピュータ２２０は、光ディスクドライブ２０１及び磁気ディスクドライブ２０２に加えて、リモコン２０４からの信号を受信するリモコンインタフェース（Ｉ／Ｆ）２０５と、ＣＰＵ（中央処理装置）２０６と、リモコンインタフェース２０５、ＣＰＵ２０６、光ディスクドライブ２０１及び磁気ディスクドライブ２０２に接続されたバス２０７と、バス２０７に接続され、ブートアッププログラム等を記憶する読出専用メモリ（ＲＯＭ）２０８と、同じくバス２０７に接続され、プログラム命令、システムプログラム、及び作業データ等を記憶するランダムアクセスメモリ（ＲＡＭ）２０９とを含む。
【００８４】
ここでは示さないが、コンピュータ２２０はさらにローカルエリアネットワーク（ＬＡＮ）への接続を提供するネットワークアダプタボードを含んでもよい。
【００８５】
コンピュータシステム２００に情報処理装置１００の機能を実現させるためのプログラム、電子コンテンツ１０（図１参照）、出力制限情報１２、ユーザ情報１３、及びユーザ識別情報１４はいずれも、光ディスクドライブ２０１又は磁気ディスクドライブ２０２に挿入される光ディスク２１０又は磁気ディスク２１１に記憶され、さらにハードディスク２１２に転送される。又は、プログラム、電子コンテンツ１０（図１参照）、出力制限情報１２、ユーザ情報１３、及びユーザ識別情報１４は図示しないネットワークを通じてコンピュータ２２０に送信されハードディスク２１２に記憶されてもよい。プログラムは実行の際にＲＡＭ２０９にロードされる。光ディスク２１０から、磁気ディスク２１１から、又はネットワークを介して、直接にＲＡＭ２０９にプログラムをロードしてもよい。
【００８６】
このプログラムは、コンピュータ２２０に本実施の形態に係る情報処理装置１００の機能を実現させる複数の命令を含む。これら機能を実現させるのに必要な基本的機能のいくつかはコンピュータ２２０上で動作するオペレーティングシステム（ＯＳ）又はサードパーティのプログラム、若しくはコンピュータ２２０にインストールされる各種ツールキットのモジュールにより提供される。したがって、このプログラムはこの実施の形態に係る情報処理装置１００の機能を実現するのに必要な機能全てを必ずしも含まなくてよい。このプログラムは、命令のうち、所望の結果が得られるように制御されたやり方で適切な機能又は「ツール」を呼出すことにより、上記した情報処理装置１００の制御を実行する命令のみを含んでいればよい。コンピュータシステム２００の動作は周知であるので、ここでは繰り返さない。
【００８７】
なお、情報処理装置１００の機能を実現するためのプログラム、電子コンテンツ１０（図１参照）、出力制限情報１２、ユーザ情報１３、及びユーザ識別情報１４が記録される記録媒体は、ＣＤ−ＲＯＭ（コンパクトディスク読取専用メモリ）、ＭＯ（Ｍａｇｎｅｔｏ−Ｏｐｔｉｃａｌ  ｄｉｓｃ）、ＭＤ（Ｍｉｎｉ  Ｄｉｓｃ）、及びＤＶＤ（Ｄｉｇｉｔａｌ  Ｖｅｒｓａｔｉｌｅ  Ｄｉｓｃ）等の光ディスク２１０、ＦＤ（フレキシブルディスク）及びハードディスク等の磁気ディスク２１１に限らない。磁気テープ及びカセットテープ等のテープ、ＩＣ（Ｉｎｔｅｇｒａｔｅｄ  Ｃｉｒｃｕｉｔ）カード及び光カード等のカード型記録媒体、並びにマスクＲＯＭ、ＥＰＲＯＭ（Ｅｒａｓａｂｌｅ  Ｐｒｏｇｒａｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍａｂｌｅ  ＲＯＭ）、及びフラッシュＲＯＭ等の半導体メモリのいずれかでもよい。ただし、コンピュータシステム２００は、これら記録媒体からの読出を行なうための読出装置を実装する必要がある。
【００８８】
（主要動作の概要）
図３は、情報処置装置１００の主要動作の概要を示すフローチャートである。
【００８９】
図３を参照して、情報処理装置１００の電源が入れられると、プログラム３００が起動し、ステップＳ３０１へ進む。
【００９０】
ステップＳ３０１において、制限情報抽出部１１１が制限情報記憶部１０７において記憶されている出力制限情報を読み込み、ステップＳ３０２へ進む。
【００９１】
ステップＳ３０２において、ユーザ情報抽出部１１０がユーザ情報記憶部１０８にユーザ情報が存在するか否かの判定を行う。ユーザ情報が存在する場合はステップＳ３０３へ進み、ユーザ情報が存在しない場合はステップＳ３０４へ進む。
【００９２】
ステップＳ３０３において、ユーザ情報抽出部１１０がユーザ情報記憶部１０８において記憶されているユーザ情報を読み込み、ステップＳ３０５へ進む。
【００９３】
ステップＳ３０４において、入力部１０４を介してユーザ情報１３を入力し、ユーザ情報記憶部１０８に記憶する。そして、ユーザ情報抽出部１１０がユーザ情報記憶部１０８において記憶されているユーザ情報を読み込み、ステップＳ３０５へ進む。
【００９４】
ステップＳ３０５において、出力制限決定部１１３がステップＳ３０１で読み込んだ出力制限情報１２、及びステップＳ３０３もしくはステップＳ３０４で読み込んだユーザ情報１３を使用して、当該電子コンテンツに含まれるコンテンツ構成要素で出力制限をかけるコンテンツ構成要素のリスト（以降、出力制限リスト、と称する）を決定し、ステップＳ３０６へ進む。なお、出力制限リスト決定処理の詳細については後述する。
【００９５】
ステップＳ３０６において、コンテンツ構成要素抽出部１０９が当該電子コンテンツに含まれるコンテンツ構成要素を抽出し、ステップＳ３０７へ進む。
【００９６】
ステップＳ３０７において、出力制限決定部１１３がステップＳ３０６において抽出されたコンテンツ構成要素に対して、出力制限決定処理を行い、ステップＳ３０８へ進む。なお、出力制限決定処理の詳細については後述する。
【００９７】
ステップＳ３０８において、出力制限決定部１１３は電子コンテンツに含まれる全てのコンテンツ構成要素に対して、出力制限の要否をチェックしたか否かを判定する。全てのコンテンツ構成要素に対してチェックを行った場合はステップＳ３０９へ進み、全てのコンテンツ構成要素に対してチェックを行っていない場合は、ステップＳ３０６へ処理を戻す。
【００９８】
ステップＳ３０９において、出力方法決定部１１４が例えば表示装置への出力方法を決定し、ステップＳ３１０へ進む。なお、出力方法決定処理の詳細については後述する。
【００９９】
ステップＳ３１０において、ステップＳ３０９において決定された出力方法に基づいて、出力処理部１１５が例えば表示装置への出力処理を行い、処理を終了する。
【０１００】
（出力制限リスト決定処理）
図４は、図３に示すステップＳ３０５で実行される出力制限リスト決定処理の詳細を示すフローチャートである。図４を参照して、出力制限リスト決定処理３５０が開始されると、ステップＳ３５１において、出力制限決定部１１３が図３のステップＳ３０１で読み込んだ一般出力制限リストから、図３のステップＳ３０３もしくはステップＳ３０４において読み込んだユーザ情報に応じて、出力制限をかけるコンテンツ構成要素を抽出し、出力制限リストに登録し、ステップＳ３５２へ進む。
【０１０１】
この場合、例えば、一般出力制限リストに記載されているコンテンツ構成要素が図７に示すように年齢別に分類されている場合、情報処理装置を使用するユーザの年齢に相当するコンテンツ構成要素のみを抽出して、出力制限リストに登録する。また、例えば、一般出力制限リストに記載されているコンテンツ構成要素がユーザ毎に分類されている場合、情報処理装置を使用するユーザの一般出力制限リストから、コンテンツ構成要素のみを抽出して、出力制限リストに登録する。
【０１０２】
ステップＳ３５２において、出力制限決定部１１３は図３のステップＳ３０１で読み込まれた出力制限情報内に概念辞書が存在するか否かの判定を行う。概念辞書が存在する場合はステップＳ３５３へ進み、概念辞書が存在しない場合は処理を終了する。
【０１０３】
ステップＳ３５３において、出力制限決定部１１３は概念辞書を使用して、処理対象の電子コンテンツに含まれるコンテンツ構成要素毎に出力制限の要否を決定するか否かの判定を行う。概念辞書を使用して出力制限の要否を決定する場合はステップＳ３５４へ進み、概念辞書を使用して出力制限の要否を判定しない場合は処理を終了する。すなわち、概念辞書を使用して、一般出力制限リストにあるコンテンツ構成要素と類似の関連コンテンツ構成要素に対しても出力制限をかける場合はステップＳ３５４へ進み、一般出力制限リストにあるコンテンツ構成要素のみに対して出力制限をかける場合は処理を終了する。
【０１０４】
ステップＳ３５４において、構成要素検出部１１２は一般出力制限リストに登録されているコンテンツ構成要素と概念辞書上において概念上の距離が所定の閾値以下にある全ての関連コンテンツ構成要素を検出する。出力制限決定部１１３は、構成要素検出部１１２において検出された全ての関連コンテンツ構成要素を出力制限リストに追加し、ステップＳ３５５へ進む。
【０１０５】
ステップＳ３５５において、出力制限決定部１１３が一般出力制限リストに登録されている全てのコンテンツ構成要素に対して、ステップＳ３５４の処理を行ったか否かの判定を行う。行っている場合は処理を終了するが、行っていない場合はステップＳ３５４へ処理を戻す。
【０１０６】
（出力制限決定処理）
図５は、図３に示すステップＳ３０７で実行される出力制限決定処理の詳細を示すフローチャートである。図５を参照して、出力制限決定処理４００が開始されると、ステップＳ４０１において、出力制限決定部１１３は、電子コンテンツから抽出されたコンテンツ構成要素の種類をチェックする。電子コンテンツから抽出されたコンテンツ構成要素が単語などのテキストである場合はステップＳ４０２へ進み、それ以外である場合はステップＳ４０３へ進む。
【０１０７】
ステップＳ４０２において、出力制限決定部１１３は、ステップＳ４０１にて抽出されたコンテンツ構成要素が図３のステップＳ３０５で作成した出力制限リストに含まれるか否かの判定を行う。当該コンテンツ構成要素が出力制限リストに含まれる場合はステップＳ４０４へ進み、含まれない場合は処理を終了する。
【０１０８】
ステップＳ４０３において、出力制限決定部１１３は、ステップＳ４０１にて抽出されたコンテンツ構成要素が図３のステップＳ３０５で作成した出力制限リストに含まれるか否かの判定を行う。当該コンテンツ構成要素が出力制限リストに含まれる場合はステップＳ４０４へ進み、含まれない場合はステップＳ４０５へ進む。
【０１０９】
ステップＳ４０４において、出力制限決定部１１３は、ステップＳ４０１にて抽出されたコンテンツ構成要素に出力制限をかけ、処理を終了する。
【０１１０】
ステップＳ４０５において、出力制限決定部１１３は、ステップＳ４０１にて抽出されたコンテンツ構成要素にメタ情報が存在するか否かを判定する。メタ情報が存在する場合はステップＳ４０６へ進み、メタ情報が存在しない場合は処理を終了する。
【０１１１】
ここで、コンテンツ構成要素が保持するメタ情報としては、例えば当該コンテンツ構成要素名、当該コンテンツ構成要素の種類を示す情報、及び当該コンテンツ構成要素の内容を示す情報などを含んでいても構わない。
【０１１２】
ステップＳ４０６において、出力制限決定部１１３は、出力制限リストに含まれるコンテンツ構成要素が、ステップＳ４０１にて抽出されたコンテンツ構成要素が保持するメタ情報に含まれるか否かを判定する。含まれる場合はステップＳ４０４へ進み、含まれない場合は処理を終了する。すなわち、ステップＳ４０１にて抽出されたコンテンツ構成要素が単語などのテキスト以外である場合、出力制限決定部１１３は当該コンテンツ構成要素が保持するメタ情報を使用して当該コンテンツ構成要素に対する出力制限の要否を判定する。
【０１１３】
（出力方法決定処理）
図６は、図３に示すステップＳ３０９で実行される出力方法決定処理の詳細を示すフローチャートである。図６を参照して、出力方法決定処理４５０が開始されると、ステップＳ４５１において、出力方法決定部１１４は、ブロック毎に出力方法を決定するか否かを判定する。ブロック毎に出力方法を決定する場合はステップＳ４５２へ進み、ブロック毎に出力方法を決定しない場合はステップＳ４５４へ進む。
【０１１４】
ここで、ブロックとは一文、一段落、及び一場面などをさす。すなわち、ステップＳ４５１において、出力方法決定部１１４は、コンテンツ構成要素単位で出力制限をかけるだけでなく、一文や一段落などのブロック単位で出力制限をかけるか否かの判定を行う。
【０１１５】
ステップＳ４５２において、出力方法決定部１１４は、所定のブロック毎に出力制限の要否を判定し、ステップＳ４５３へ進む。
【０１１６】
ここで、所定のブロックに対する出力制限の要否を判定する方法として、例えば、一文や一段落といった所定ブロック内に占める出力制限をかけるコンテンツ構成要素の数、もしくは割合が所定の閾値以上である場合は、当該ブロック全体に出力制限をかけるものであっても構わない。ただし、ブロック毎に出力制限の要否を判定する方法はこれに限定されない。
【０１１７】
ステップＳ４５３において、出力方法決定部１１４は、出力制限をかけられたコンテンツ構成要素、及び出力制限をかけられたブロックの出力の仕方を決定し、処理を終了する。
【０１１８】
ここで、出力制限をかけられたコンテンツ構成要素及びブロックの出力の仕方として、当該コンテンツ構成要素及びブロックをブランクで出力したり、任意の色で塗りつぶして出力したり、絵やマークなど所定のオブジェクトに置き換えて出力したり、背景色と同じ色で出力したり、もしくは音声である場合は音を鳴らさないように出力したりする方法であっても構わないが、必ずしもこれらに限定されない。
【０１１９】
ステップＳ４５４において、出力方法決定部１１４は、出力制限をかけられたコンテンツ構成要素の出力の仕方を決定し、処理を終了する。
【０１２０】
以下、情報処理装置１００の具体的な動作として、実施例１から実施例３を例示する。
【０１２１】
（実施例１）
以下に示す実施例１では、制限情報記憶部１０７に記憶されている一般出力制限リストに含まれる単語が年齢別に分類されており、当該一般出力制限リストを使用して、電子コンテンツに含まれるコンテンツ構成要素に出力制限をかける場合の情報処理装置の動作を例示する。
【０１２２】
制限情報記憶部１０７は、図７に示す年齢別に分類された一般出力制限リスト５００を記憶しているものとする。
【０１２３】
図９には、テキストのみからなる電子コンテンツを示す。図９では、電子コンテンツである「ドキュメントＡ」５４０の一部を示しており、「コンテンツＡ」５４０は複数の単語から構成されていることを示している。例えば、１段落目は４つの文から構成されており、その中の１文目は「Ｗｏｒｄ１」、「Ｗｏｒｄ８」、「Ｗｏｒｄ１０」、「Ｗｏｒｄ６」、「Ｗｏｒｄ７」及び「Ｗｏｒｄ１２」の６つの単語から構成されていることを示している。同様に、２段落目は２つの文から構成されており、その中の1文目は「Ｗｏｒｄ１」、「Ｗｏｒｄ２３」、「Ｗｏｒｄ２１」及び「Ｗｏｒｄ１４」の４つの単語から構成されていることを示している。
【０１２４】
このとき、「１４歳」である「ユーザＸ」が「ドキュメントＡ」を鑑賞する場合に、図７に示す年齢別に分類された一般出力制限リスト５００を使用して、情報処理装置が「ドキュメントＡ」内の単語に出力制限をかける場合の動作について説明する。
【０１２５】
まず、情報処理装置が図７に示す年齢別に分類された一般出力制限リスト５００を使用して、「ユーザＸ」に対する出力制限リストを作成する場合の動作について、図４に示すフローチャートに従って説明する。
【０１２６】
ステップＳ３５１において、「ユーザＸ」の年齢が「１４歳」であるため、出力制限決定部１１３は図７の年齢別に分類された一般出力制限リスト５００から「１２歳以上１５歳未満」に分類されている単語を抽出し、出力制限リストに登録する。ここでは、「Ｗｏｒｄ１」から「Ｗｏｒｄ７」までの7つの単語が出力制限リストに登録される。
【０１２７】
ステップＳ３５２において、出力制限情報内に概念辞書が存在しないため、出力制限リスト決定処理を終了する。
【０１２８】
図１０には、作成された出力制限リスト５６０を示す。
【０１２９】
図１０では、「Ｗｏｒｄ１」から「Ｗｏｒｄ７」の７つの単語が出力制限リストに登録されている。
【０１３０】
次に、図１０に示す出力制限リスト５６０を使用して、図9に示す「ドキュメントＡ」に含まれる各コンテンツ構成要素（単語）に対して出力制限決定処理を行う場合の動作について、図５に示すフローチャートに従って説明する。
【０１３１】
ステップＳ４０１において、出力制限決定部１１３は「ドキュメントＡ」から抽出されたコンテンツ構成要素の種類をチェックする。ここでは、単語が抽出されるため、ステップＳ４０２に進む。
【０１３２】
ステップＳ４０２及びステップＳ４０３において、「ドキュメントＡ」から抽出された単語が図１０に示す出力制限リスト５６０に含まれるか否かを判定し、含まれる場合は出力制限決定部１１３が当該コンテンツ構成要素（単語）に出力制限をかける。
【０１３３】
上記の操作を「ドキュメントＡ」から抽出される全ての単語に対して行う。その結果を図１１に示す。
【０１３４】
図１１では、ステップＳ４０４において、出力制限決定部１１３が出力制限をかけた単語を太字かつ点で埋めた枠５４１で示している。ここでは、「Ｗｏｒｄ１」が３個、「Ｗｏｒｄ６」及び「Ｗｏｒｄ７」がそれぞれ2個、「Ｗｏｒｄ３」、「Ｗｏｒｄ４」及び「Ｗｏｒｄ５」がそれぞれ1個の合計１０個の単語に出力制限がかけられている。
【０１３５】
次に、出力制限がかけられた単語を含む「ドキュメントＡ」を表示装置に出力する場合の出力方法決定処理について、図６に示すフローチャートに従って説明する。
【０１３６】
なお、ここでは出力制限をかけられた単語に対してのみ出力制限をかけるものとし、当該単語の出力の仕方はブランクで出力するものとする。
【０１３７】
ステップＳ４５１において、出力方法決定部１１４は出力制限をかけられた単語に対してのみ出力制限をかけるため、ステップＳ４５４へ進む。
【０１３８】
ステップＳ４５４において、出力方法決定部１１４は、出力制限をかけられた単語をブランクで出力するものと決定する。
【０１３９】
その後、図３に示すステップＳ３０９において、出力処理部１１５は「ドキュメントＡ」の出力処理を行う。表示装置に「ドキュメントＡ」が出力された場合の様子５６０を図１２に示す。
【０１４０】
図１２では、出力制限をかけられた単語をブランク（空白）５６１にて出力している。
【０１４１】
ただし、出力制限をかけられた単語の出力の仕方は必ずしもこれに限定されない。例えば、出力制限をかけられた単語を黒色で塗りつぶすことで、当該単語を「ユーザＸ」に見えないようにして出力するようにしても構わない。表示装置に「ドキュメントＡ」が出力された場合の様子５８０を図１３に示す。
【０１４２】
図１３では、出力制限をかけられた単語を黒色５８１にて出力している。
【０１４３】
また、出力制限をかけられた単語の別の出力の仕方として、当該単語を図やマークなどの所定のオブジェクトと置き換えることで、当該単語を「ユーザＸ」に見えないようにして出力するようにしても構わない。表示装置に「ドキュメントＡ」が出力された場合の様子６００を図１４に示す。
【０１４４】
図１４では、出力制限をかけられた単語を別の図やマーク６０１に置き換えて出力している。
【０１４５】
また、出力制限をかけられた単語の別の出力の仕方として、当該単語を背景色と同じ色にして出力することで、当該単語を「ユーザＸ」に見えないようにして出力するようにしても構わない。
【０１４６】
ここでは、上述のように、出力制限をかけられた単語の出力の仕方として４通りの方法を示したが、必ずしもこれらに限定されない。
【０１４７】
実施例１では、年齢別に分類された一般出力制限リストを使用することで、ユーザの年齢に応じて単語に出力制限をかけることができる。これにより、ユーザの年齢では見るにはふさわしくないような単語に出力制限をかけることで、当該ユーザには当該単語を見せなくすることができる。
【０１４８】
（実施例２）
以下に示す実施例２では、制限情報記憶部１０７に記憶されている一般出力制限リストに含まれる単語が年齢別に分類されており、さらに制限情報記憶部１０７には単語間の概念上の距離を示した概念辞書を記憶しており、当該一般出力制限リスト及び当該概念辞書を使用して、電子コンテンツに含まれるコンテンツ構成要素に出力制限をかける場合の情報処理装置の動作を例示する。
【０１４９】
制限情報記憶部１０７は、図７に示す年齢別に分類された一般出力制限リスト５００を記憶しているものとする。さらに、制限情報記憶部１０７は図１５に示す概念辞書６２０も記憶しているものとする。
【０１５０】
図１５には、単語間の概念上の距離を示した概念辞書６２０の一例を示す。単語間の上位と下位との概念的関係は、例えば「Ｗｏｒｄ１」の下位には「Ｗｏｒｄ２１」及び「Ｗｏｒｄ４１」であり、さらに「Ｗｏｒｄ２１」の下位には「Ｗｏｒｄ２９」及び「Ｗｏｒｄ１４」である。
【０１５１】
また、概念上の距離を図１５に示す概念辞書上の二つの単語間のパスの長さで表すものとする。例えば、「Ｗｏｒｄ２２」との概念上の距離が１である単語には「Ｗｏｒｄ２」、「Ｗｏｒｄ７１」及び「Ｗｏｒｄ７２」の３つの単語が相当し、「Ｗｏｒｄ２２」との概念上の距離が２である単語には、「Ｗｏｒｄ５２」、「Ｗｏｒｄ２５」及び「Ｗｏｒｄ７５」の３つの単語が相当する。
【０１５２】
このとき、「１４歳」である「ユーザＸ」が「ドキュメントＡ」を鑑賞する場合に、図７に示す年齢別に分類された一般出力制限リスト５００、及び図１５に示す概念辞書６２０を使用して、情報処理装置が図９に示す「ドキュメントＡ」内の単語に出力制限をかける場合の動作について説明する。
【０１５３】
まず、情報処理装置が図７に示す年齢別に分類された一般出力制限リスト５００、及び図１５に示す概念辞書６２０を使用して、「ユーザＸ」に対する出力制限リストを作成する場合の動作について、図４に示すフローチャートに従って説明する。
【０１５４】
ステップＳ３５１において、「ユーザＸ」の年齢が「１４歳」であるため、出力制限決定部１１３は図７の年齢別に分類された一般出力制限リスト５００から「１２歳以上１５歳未満」に分類されている単語を抽出し、出力制限リストに登録する。ここでは、「Ｗｏｒｄ１」から「Ｗｏｒｄ７」までの7つの単語が出力制限リストに登録される。
【０１５５】
ステップＳ３５２及びステップＳ３５３において、出力制限情報１２内に概念辞書が存在し、当該概念辞書を使用して出力制限をかけるため、ステップＳ３５４へ進む。
【０１５６】
ステップＳ３５４、及びステップＳ３５５において、構成要素検出部１１２が概念辞書上において概念上の距離が所定の閾値以下の関連コンテンツ構成要素（単語）を検出し、出力制限決定部１１３が出力制限リストに追加する。
【０１５７】
ここで、閾値を１とし、構成要素検出部１１２は概念辞書上において概念上の距離が１以下の単語を検出するものとする。例えば、年齢別に分類された一般出力制限リスト５００にある「Ｗｏｒｄ１」と概念上の距離が１以下の単語は図１５より「Ｗｏｒｄ２１」と「Ｗｏｒｄ４１」であるため、構成要素検出部１１２は「Ｗｏｒｄ２１」と「Ｗｏｒｄ４１」を検出し、出力制限決定部１１３はこれら二つの単語を出力制限リストに追加する。
【０１５８】
同様にして、構成要素検出部１１２は年齢別に分類された一般出力制限リスト５００に存在する残りの「Ｗｏｒｄ２」から「Ｗｏｒｄ７」までの単語に対して、概念辞書において概念上の距離が１以下の単語を検出し、出力制限決定部１１３は検出された単語を出力制限リストに追加する。
【０１５９】
図１６には、作成された出力制限リスト６４０を示す。図１６では、「Ｗｏｒｄ１」から「Ｗｏｒｄ５３」までの１８個の単語が出力制限リストに登録されている。
【０１６０】
次に、図１６に示す出力制限リスト６４０を使用して、実施例１において説明した動作に従って、図9に示す「ドキュメントＡ」内の各コンテンツ構成要素（単語）の出力制限決定処理を行う。その結果を図１７に示す。
【０１６１】
図１７では、図５におけるステップＳ４０４において、出力制限決定部１１３が出力制限をかけた単語を太字かつ点で埋めた枠６６１で示している。ここでは、「Ｗｏｒｄ１」が３個、「Ｗｏｒｄ６」、「Ｗｏｒｄ７」、「Ｗｏｒｄ１４」及び「Ｗｏｒｄ２３」がそれぞれ2個、「Ｗｏｒｄ３」、「Ｗｏｒｄ４」、「Ｗｏｒｄ５」、「Ｗｏｒｄ２１」及び「Ｗｏｒｄ２２」がそれぞれ1個の合計１６個の単語に出力制限がかけられている。
【０１６２】
次に、出力制限がかけられた単語を含む「ドキュメントＡ」を表示装置に出力する場合の出力方法を決定する処理を行う場合の動作について、図６に示すフローチャートに従って説明する。
【０１６３】
なお、ここでは出力制限をかけられた単語に対して出力制限をかけ、さらに所定ブロックを一文としたとき、一文内に属する単語の「７０％」以上の単語に出力制限がかけられている場合は、当該文の全体に出力制限をかけるものとし、当該単語及び当該文の出力の仕方はブランクにて出力を行うものとする。
【０１６４】
ステップＳ４５１において、出力方法決定部１１４は出力制限をかけられた単語だけでなく一文毎に対しても出力制限をかけるため、ステップＳ４５２へ進む。
【０１６５】
ステップＳ４５２において、一文毎に出力制限の要否を判定する。ここでは、図１７に示す2段落目に含まれる1文目は、４個の単語のうち３個の単語に出力制限がかけられており、一文内に占める出力制限がかけられた単語の割合が「７５％」で、閾値である「７０％」を超えているため、出力方法決定部１１４は当該文の全体に出力制限をかけるように決定する。
【０１６６】
出力方法決定部１１４は、全ての文に対して出力制限の要否を判定した後、図３に示すステップＳ３０９において、出力処理部１１５は「ドキュメントＡ」の出力処理を行う。表示装置に「ドキュメントＡ」が出力された場合の様子６８０を図１８に示す。
【０１６７】
図１８では、出力制限をかけられた単語、及び出力制限をかけられた文をブランク（空白）６８１にて出力している。
【０１６８】
ただし、出力制限をかけられた単語、及び出力制限をかけられた文の出力の仕方は必ずしもこれに限定されない。例えば、出力制限をかけられた単語、及び出力制限をかけられた文を黒色で塗りつぶすことで、当該単語及び当該文を「ユーザＸ」に見えないようにして出力するようにしても構わない。表示装置に「ドキュメントＡ」が出力された場合の様子７００を図１９に示す。
【０１６９】
図１９では、出力制限をかけられた単語、及び出力制限をかけられた文を黒色７０１にて出力している。
【０１７０】
また、出力制限をかけられた単語、及び出力制限をかけられた文の別の出力の仕方として、当該単語、及び当該文を図やマークなどの所定のオブジェクトと置き換えることで、当該単語及び当該文を「ユーザＸ」に見えないようにして出力するようにしても構わない。表示装置に「ドキュメントＡ」が出力された場合の様子７２０を図２０に示す。
【０１７１】
図２０では、出力制限をかけられた単語、及び出力制限をかけられた文を別の図やマーク７２１に置き換えて出力している。
【０１７２】
また、出力制限をかけられた単語、及び出力制限をかけられた文の別の出力の仕方として、当該単語及び当該の文を背景色と同じ色にして出力することで、当該単語及び当該文を「ユーザＸ」に見えないようにして出力するようにしても構わない。
【０１７３】
ここでは、上述のように、出力制限をかけられた単語、及び出力制限をかけられた文の出力の仕方として４通りの方法を示したが、必ずしもこれらに限定されない。
【０１７４】
さらに、所定ブロックを一文としたが、所定ブロックとして一段落、もしくは一場面などであっても構わない。
【０１７５】
実施例２では、年齢別に分類された一般出力制限リスト、及び単語間の概念上の距離を示した概念辞書を使用することで、一般出力制限リストに登録された単語だけでなく、当該一般出力制限リストに登録された単語と概念的に近い単語に対しても出力制限をかけることができる。これにより、ユーザの年齢では見るにはふさわしくないような単語だけでなく、当該単語に類似の単語にも出力制限をかけることで、当該ユーザには当該単語及び当該単語に類似の単語の両方を見せなくすることができる。
【０１７６】
さらに、出力制限をかけると判定された単語のみをユーザに見せなくするだけでなく、出力制限をかけると判定された単語の数、もしくは割合に応じて、一文、一段落、もしくは一場面といった所定ブロック毎に出力制限をかけることで、所定ブロック全体をユーザに見せなくすることもできる。
【０１７７】
（実施例３）
以下に示す実施例３では、電子コンテンツから抽出されたコンテンツ構成要素が単語以外である場合、当該コンテンツ構成要素毎に出力制限をかける場合の情報処理装置の動作を例示する。
【０１７８】
図２１には、テキストと画像からなる電子コンテンツ７４０を示す。図２１では、電子コンテンツである「ドキュメントＢ」７４０の一部を示しており、テキスト部７４１及び画像７４２から構成されている。
【０１７９】
また、制限情報記憶部１０７は、図７に示す年齢別に分類された一般出力制限リスト５００、及び図１５に示す単語間の概念上の距離を示した概念辞書６２０を記憶しているものとする。
【０１８０】
このとき、「１４歳」である「ユーザＸ」が「ドキュメントＢ」を鑑賞する場合に、図７に示す年齢別に分類された一般出力制限リスト５００、及び図１５に示す概念辞書６２０を使用して、情報処理装置が「ドキュメントＢ」内の単語及び画像に出力制限をかける場合の動作について説明する。
【０１８１】
まず、実施例２において説明した動作に従って、「ユーザＸ」に対する出力制限リストを作成する。作成された出力制限リストを図１６に示す。
【０１８２】
次に、図１６に示す出力制限リスト６４０を使用して、図２１に示す「ドキュメントＢ」内の単語、及び画像の出力制限決定処理を行う場合の動作について、図５に示すフローチャートに従って説明する。
【０１８３】
なお、図２１に示す「ドキュメントＢ」内の単語に対する出力制限決定処理を行う場合の動作は実施例２において説明した動作に従う。
【０１８４】
ここでは、図２１に示す「ドキュメントＢ」内の画像７４２に対する出力制限決定処理を行う場合の動作について説明する。
【０１８５】
ステップＳ４０１において、出力制限決定部１１３は「ドキュメントＢ」から抽出されたコンテンツ構成要素の種類をチェックする。ここでは、画像が抽出されるため、ステップＳ４０３に進む。
【０１８６】
ステップＳ４０３において、出力制限決定部１１３は抽出された画像が出力制限リストに含まれているか否かをチェックする。ここでは、含まれていないため、ステップＳ４０５へ進む。
【０１８７】
ステップＳ４０５において、出力制限決定部１１３は抽出された画像にメタ情報が存在するか否かを判定する。図２１より、当該画像にはメタ情報７４３が付属しており、メタ情報７４３として当該画像を示すキーワード７４４が付与されているため、ステップＳ４０６へ進む。
【０１８８】
ステップＳ４０６において、出力制限決定部１１３は出力制限リスト６４０に登録された単語が当該画像に付与されたメタ情報内に含まれるか否かを判定する。ここでは、キーワードの一つである「Ｗｏｒｄ６」が出力制限リスト６４０に含まれているため、ステップＳ４０４へ進み、出力制限決定部１１３が当該画像に出力制限をかける。
【０１８９】
なお、コンテンツ構成要素に付与されたメタ情報を使用して出力制限をかけるか否かの判定を行う方法は必ずしもこれに限定されない。例えば、上述のように、出力制限リストに登録されている単語が一つでも当該メタ情報内に存在すれば、当該コンテンツ構成要素に出力制限をかけるようにしても構わないし、当該メタ情報内に含まれる出力制限リストに登録されている単語が、所定の数もしくは所定の割合以上である場合は、当該コンテンツ構成要素に出力制限をかけるようにしても構わない。
【０１９０】
上述のように、「ドキュメントＢ」内から抽出された全てのコンテンツ構成要素に対して、出力制限決定部１１３は出力制限の要否を判定する。
【０１９１】
その後、実施例1及び実施例２において説明した動作に従って、出力方法決定部１１４は「ドキュメントＢ」の出力方法を決定し、出力処理部１１５にて出力処理を行う。
【０１９２】
なお、ここでは出力制限をかけられた単語、及び画像に対してのみ出力制限をかけるものとし、当該単語、及び画像を黒色で塗りつぶすことで、当該単語を「ユーザＸ」に見えないようにして出力するものとする。表示装置に「ドキュメントＢ」が出力された場合の様子７６０を図２２に示す。
【０１９３】
図２２では、出力制限をかけられた単語７６１、及び出力制限をかけられた画像７６２を黒色で塗りつぶして出力している。
【０１９４】
ただし、出力制限をかけられたコンテンツ構成要素の出力の仕方は、必ずしもこれに限定されない。
【０１９５】
例えば、出力制限をかけられたコンテンツ構成要素が音声である場合は、当該音声を鳴らさないようにして出力するものであっても構わない。
【０１９６】
実施例３では、電子コンテンツから抽出されたコンテンツ構成要素が単語などのテキスト以外である場合であっても、当該コンテンツ構成要素に付与されたメタ情報を使用することで、当該コンテンツ構成要素に対して出力制限の要否を判定することができる。これにより、ユーザの年齢では見るにはふさわしくないような画像などのコンテンツ構成要素に対しても出力制限をかけることで、当該ユーザには当該画像などのコンテンツ構成要素を見せなくすることができる。
【０１９７】
（変形実施例）
制限情報記憶部１０７に記憶されている一般出力制限リストは必ずしも単語などのテキストから構成される必要はない。例えば、静止画像、動画像、もしくは音声などが一般出力制限リストに登録されていても構わない。
【０１９８】
ただし、静止画像、動画像、もしくは音声の少なくとも一つが含まれた一般出力制限リストを情報処理装置が使用する場合、当該情報処理装置には電子コンテンツから抽出されたコンテンツ構成要素（静止画像、動画像、もしくは音声）と一般出力制限リストに登録されたコンテンツ構成要素（静止画像、動画像、もしくは音声）を比較し、同じものか否か、あるいは同種ものか否かを判定する機能を保持している必要がある。
【０１９９】
例えば、静止画像や動画像であれば、画像解析等を行い、二つの画像が同じか否か、あるいは同種ものか否かを判定する機能を保持している必要がある。具体的には、鑑賞する場合において例えば年齢制限を設定するのが好ましいような静止画像や動画像については、同一の画像に限らず同種の画像（類似の画像）か否かを判定する機能を保持しておく。
【０２００】
また、音声であれば、音声認識等を行い、二つの音声が同じか否か、あるいは同種のものか否かを判定する機能を保持している必要がある。具体的には、鑑賞する場合において例えば年齢制限を設定するのが好ましいような音声については、同一の音声に限らず同種の音声（類似の音声）か否かを判定する機能を保持しておく。
【０２０１】
上記のような機能を保持している場合は、静止画像、動画像、もしくは音声であるコンテンツ構成要素にメタ情報が付与されていない場合であっても、当該コンテンツ構成要素自体を比較することで、出力制限決定部１１３は当該コンテンツ構成要素に対する出力制限の要否を判定することができる。
【０２０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０３】
本願発明は、煩雑な操作を必要とすることなく、容易に単語等のコンテンツ構成要素単位で出力制限をかけることができるため、電子書籍端末などの用途にも適用できる。
【図面の簡単な説明】
【０２０４】
【図１】本発明の一実施の形態に係る情報処理装置の機能的構成を示すブロック図である。
【図２】本実施の形態に係る情報処理装置の各機能部を実現するコンピュータシステムの構成を示すブロック図である。
【図３】図１に示した情報処理装置の主要動作を示すフローチャートである。
【図４】図３のステップS３０５で実行される出力制限リスト決定処理を示すフローチャートである。
【図５】図３のステップS３０７で実行される出力制限決定処理を示すフローチャートである。
【図６】図３のステップS３０９で実行される出力方法決定処理を示すフローチャートである。
【図７】図１に示した情報処理装置の一実施例、他の実施例、及びその他の実施例に関し、年齢別に分類された一般出力制限リストを示す説明図である。
【図８】図１に示した構成要素検出部が使用する、単語間の概念上の距離を示した概念辞書を示す説明図である。
【図９】図１に示した情報処理装置の一実施例、他の実施例に関し、電子コンテンツである「ドキュメントＡ」を示す説明図である。
【図１０】図１に示した情報処理装置の一実施例に関し、出力制限リストを示す説明図である。
【図１１】図１に示した情報処理装置の一実施例に関し、出力制限を加えられたコンテンツ構成要素（単語）を示す説明図である。
【図１２】図１に示した情報処理装置の一実施例に関し、表示装置に出力制限を加えられた「ドキュメントＡ」が出力された場合の様子を示す説明図である。
【図１３】図１に示した情報処理装置の一実施例に関し、表示装置に他の出力制限を加えられた「ドキュメントＡ」が出力された場合の様子を示す説明図である。
【図１４】図１に示した情報処理装置の一実施例に関し、表示装置にさらに他の出力制限を加えられた「ドキュメントＡ」が出力された場合の様子を示す説明図である。
【図１５】図１に示した情報処理装置の他の実施例に関し、概念辞書を示す説明図である。
【図１６】図１に示した情報処理装置の他の実施例に関し、出力制限リストを示す説明図である。
【図１７】図１に示した情報処理装置の他の実施例に関し、出力制限を加えられたコンテンツ構成要素（単語）を示す説明図である。
【図１８】図１に示した情報処理装置の他の実施例に関し、表示装置に出力制限を加えられた「ドキュメントＡ」が出力された場合の様子を示す説明図である。
【図１９】図１に示した情報処理装置の他の実施例に関し、表示装置に他の出力制限を加えられた「ドキュメントＡ」が出力された場合の様子を示す説明図である。
【図２０】図１に示した情報処理装置の他の実施例に関し、表示装置にさらに他の出力制限を加えられた「ドキュメントＡ」が出力された場合の様子を示す説明図である。
【図２１】図１に示した情報処理装置のさらに他の実施例に関し、電子コンテンツである「ドキュメントＢ」及び「ドキュメントＢ」に含まれる画像に付与されたメタ情報を示す説明図である。
【図２２】図１に示した情報処理装置のさらに他の実施例に関し、表示装置に出力制限を加えられた「ドキュメントＢ」が出力された場合の様子を示す説明図である。
【符号の説明】
【０２０５】
１０  電子コンテンツ
１２  出力制限情報
１３  ユーザ情報
１５  表示装置
１００  情報処理装置
１０５  ユーザ認識部（ユーザ特定手段）
１０７  制限情報記憶部（制限情報記憶手段）
１０８  ユーザ情報記憶部（ユーザ情報記憶手段）
１１２  構成要素検出部（構成要素検出手段）
１１３  出力制限決定部（出力制限手段）
１１４  出力方法決定部（出力方法決定手段）
１１５  出力処理部（出力処理手段）
【図１】
2006235880.tif 000003
【図２】
2006235880.tif 000004
【図３】
2006235880.tif 000005
【図４】
2006235880.tif 000006
【図５】
2006235880.tif 000007
【図６】
2006235880.tif 000008
【図７】
2006235880.tif 000009
【図８】
2006235880.tif 000010
【図９】
2006235880.tif 000011
【図１０】
2006235880.tif 000012
【図１１】
2006235880.tif 000013
【図１２】
2006235880.tif 000014
【図１３】
2006235880.tif 000015
【図１４】
2006235880.tif 000016
【図１５】
2006235880.tif 000017
【図１６】
2006235880.tif 000018
【図１７】
2006235880.tif 000019
【図１８】
2006235880.tif 000020
【図１９】
2006235880.tif 000021
【図２０】
2006235880.tif 000022
【図２１】
2006235880.tif 000023
【図２２】
2006235880.tif 000024